(57)【要約】【課題】イオンとしての寿命が長く、十分に微生物の繁殖を防止することができる浄化方法および浄化装置を提供することを目的とする。【解決手段】ＵＶ発生手段２と、光触媒塗布材３と、前記光触媒塗布材３に設けた水を発生させる水発生手段９とから、前記ＵＶ発生手段２と前記光触媒塗布材３との間の領域で、ラジカルやイオン等、およびそれらを含んだ微細な水粒子を生成し放出することで、前記放出領域の殺菌、脱臭、有害物質の除去を行うもので、イオンとしての寿命が長く、十分に微生物の繁殖を防止することができるため、室内の壁面やカーテン等の付着した臭気、ウイルス、かびなどの、脱臭や除菌をも行うことができる。【選択図】図１
2005304676.tif 000002
【特許請求の範囲】
【請求項１】
ＵＶ発生手段と、光触媒塗布材と、前記光触媒塗布材に設けた水を発生させる水発生手段とから、前記ＵＶ発生手段と前記光触媒塗布材との間の領域で、ラジカルやイオン等、およびそれらを含んだ微細な水粒子を生成し放出することで、前記放出領域の殺菌、脱臭、有害物質の除去を行う浄化方法。
【請求項２】
ＵＶ発生手段と、光触媒塗布材と、前記光触媒塗布材に設けた水を発生させる水発生手段とを有する構成とした浄化装置。
【請求項３】
光触媒塗布材に突起を設けた請求項２記載の浄化装置。
【発明の詳細な説明】
【技術分野】
【０００１】
本発明は、気体、液体、固体などの浄化方法および浄化装置に関するものである。
【背景技術】
【０００２】
従来、イオンやオゾン等の活性粒子を利用して、食品・調理用品などの食に関連する物体や公衆衛生上で微生物が問題となる物体の表面、これらの物体を収納する空間に存在する微生物の繁殖を防止する方法が知られている。
【０００３】
例えば、空気などの気体を電離室に導いてイオン化およびオゾン化させる際の放電電流を制御することにより、所定の低濃度のオゾンと高濃度のイオンを含む気体を発生させ、前記電離室あるいはそれに連通する空間内で、あるいは電離室で発生した気体を物体に吹き付けることによって、オゾンとイオンとの相乗効果で微生物の繁殖を防止するようにした微生物繁殖防止方法および装置がある（例えば、特許文献１参照）。
【特許文献１】特開平９−１０８３１３号公報
【発明の開示】
【発明が解決しようとする課題】
【０００４】
しかしながら、上記した従来の微生物繁殖防止方法および装置は、物体の表面や収納空間に存在する微生物を処理対象とするものであるが、生成されたイオン等は非常に不安定なため、イオンとしての寿命が非常に短く、物体に吹き付けるまえに安定な物質に変化してしまい、十分に微生物の繁殖を防止することができないという問題があった。
【０００５】
本発明は上記問題を解決するもので、イオンとしての寿命が長く、十分に微生物の繁殖を防止することができる浄化方法および浄化装置を提供することを目的とする。
【課題を解決するための手段】
【０００６】
上記従来の課題を解決するために、本発明の浄化方法は、ＵＶ発生手段と、光触媒塗布材と、前記光触媒塗布材に設けた水を発生させる水発生手段とから、前記ＵＶ発生手段と前記光触媒塗布材との間の領域で、ラジカルやイオン等、およびそれらを含んだ微細な水粒子を生成し放出することで、前記放出領域の殺菌、脱臭、有害物質の除去を行うもので、イオンとしての寿命が長く、十分に微生物の繁殖を防止することができるため、室内の壁面やカーテン等の付着した臭気、ウイルス、かびなどの、脱臭や除菌をも行うことができる。
【０００７】
また、本発明の浄化装置は、ＵＶ発生手段と、光触媒塗布材と、光触媒塗布材に設けた水を発生させる水発生手段とを有する構成としたもので、イオンとしての寿命が長く、十分に微生物の繁殖を防止することができるため、室内の壁面やカーテン等の付着した臭気、ウイルス、かびなどの、脱臭や除菌をも行うことができる装置を提供できる。
【発明の効果】
【０００８】
本発明によれば、イオンとしての寿命が長く、十分に微生物の繁殖を防止することができる浄化方法および浄化装置を提供できる。
【発明を実施するための最良の形態】
【０００９】
第１の発明は、ＵＶ発生手段と、光触媒塗布材と、前記光触媒塗布材に設けた水を発生させる水発生手段とから、前記ＵＶ発生手段と前記光触媒塗布材との間の領域で、ラジカルやイオン等、およびそれらを含んだ微細な水粒子を生成し放出することで、前記放出領
域の殺菌、脱臭、有害物質の除去を行う浄化方法で、イオンとしての寿命が長く、十分に微生物の繁殖を防止することができるため、室内の壁面やカーテン等の付着した臭気、ウイルス、かびなどの、脱臭や除菌をも行うことができる。
【００１０】
第２の発明は、ＵＶ発生手段と、光触媒塗布材と、前記光触媒塗布材に設けた水を発生させる水発生手段とを有する構成とした浄化装置で、イオンとしての寿命が長く、十分に微生物の繁殖を防止することができるため、室内の壁面やカーテン等の付着した臭気、ウイルス、かびなどの、脱臭や除菌をも行うことができる装置を提供できる。
【００１１】
第３の発明は、光触媒塗布材に突起を設けたもので、光触媒の表面積が増加し、多量のラジカルやイオン等、およびそれらを含んだ微細な水粒子を生成し、前記領域下流に放出させることができる。
【００１２】
以下、本発明の実施の形態について図面を参照しながら説明する。なお、この実施の形態によって本発明が限定されるものではない。
【００１３】
（実施の形態１）
以下、本発明の実施の形態について図面を参照しながら説明する。図１および図２は本発明の一実施形態における浄化装置の概略図および断面図である。なお、以下では空気などの気体について説明するが、水などの液体、固体でも同様である。
【００１４】
浄化ユニット１は、気体の流路内に配置されるものであり、ＵＶ発生手段２が配置され、ＵＶ発生手段２の対向に光触媒塗布材３が配置されている。６は気流通過領域５に流入する上流気流、７は気流通過領域５から流出する下流気流を示す。
【００１５】
水発生手段９は、例えばペルチェ素子など無給水で水を発生させるのもであり、光触媒塗布材３に密着させ設けておく。これにより、光触媒塗布材３が露点以下の温度になると光触媒塗布材３の表面に結露水１０が発生する。例えば、温度が２２℃で湿度が３０％のとき、光触媒塗布材３が露点すなわち３．６℃以下の温度になると光触媒塗布材３の表面に結露水１０が発生する。この結露水はＵＶ発生手段２のＵＶにより光触媒が親水性になり、膜状の結露水が発生する。
【００１６】
以下、上記構成における作用を説明する。
【００１７】
ＵＶ発生手段２によるＵＶにより光触媒塗布材３の光触媒が活性化される。これにより、ＵＶ発生手段２と光触媒塗布材３の間の領域でより長寿命な酸化力の高いラジカルやイオン等が、また、水発生手段９により光触媒塗布材３に結露水１０を発生させることにより、ラジカルやイオン等、およびそれらを含んだ微細な水粒子を生成し、浄化ユニット下流７に放出させることができる。
【００１８】
簡略化すると例えば
【００１９】
【化１】
2005304676.tif 000003
【００２０】
【化２】
2005304676.tif 000004
【００２１】
の反応がおこり、ＵＶ発生手段２と光触媒塗布材３の間の領域に、ＯＨラジカルやイオン、Ｈ２Ｏ２ラジカルやイオン等、酸化力の高いラジカルやイオン等、およびそれらを含んだ水粒子１１を豊富に生成することができる。
【００２２】
この生成されたラジカルやイオン等、およびそれらを含んだ水粒子１１は酸化力が高く、微生物の外壁やタンパク質が破壊することができ、微生物は殺滅または不活化される。すなわち、生成されたＯＨラジカルやイオン、Ｈ2Ｏ2ラジカルやイオン等、酸化力の高いラジカルやイオン等、およびそれらを含んだ水粒子１１を浄化ユニット下流７に放出させることにより、放出された領域を殺菌、脱臭、有害物質除去することができ、浄化される。
【００２３】
図３および図４は、突起を設けた光触媒塗布材１２のときの概略図および針状突起を設けた光触媒塗布材１３である。これにより、突起を設けた光触媒塗布材１２の面積が増加し、より多量に生成されたＯＨラジカルやイオン、Ｈ2Ｏ2ラジカルやイオン等、酸化力の高いラジカルやイオン等、およびそれらを含んだ水粒子１１を浄化ユニット下流７に放出させることにより、放出された領域を殺菌、脱臭、有害物質除去することができ、浄化される。
【００２４】
なお、本浄化装置を、例えば風量の大きい空気調和機に搭載すると、さらに浄化性能を向上させることができる。
【産業上の利用可能性】
【００２５】
以上のように、本発明にかかる浄化方法および浄化装置は、イオンとしての寿命が長く、十分に微生物の繁殖を防止することができるため、特に風量の大きい空気調和機に有用である。
【図面の簡単な説明】
【００２６】
【図１】本発明の実施の形態１における浄化装置の概略図
【図２】同浄化装置を側方向から示した断面図
【図３】同他の浄化装置の概略図
【図４】同対向電極に形状突起を設けた概略図
【符号の説明】
【００２７】
１  浄化ユニット
２  ＵＶ発生手段
３  光触媒塗布材
９  水発生手段
【図１】
2005304676.tif 000005
【図２】
2005304676.tif 000006
【図３】
2005304676.tif 000007
【図４】
2005304676.tif 000008